(57)【特許請求の範囲】
【請求項１】
ｙ方向から画像化対象の物体へと励起光線を送る光源と、
前記ｙ方向に対して略垂直に延び第一の検出方向としてのｚ方向に、蛍光および／または反射光として前記物体から発せられる光を検出するカメラと、を備えて構成されるＳＴＥＤ−ＳＰＩＭ顕微鏡において、
前記ｙ方向と前記ｚ方向に対して略垂直に延びるｘ方向に前記励起光線を走査することによって連続的な光シートを生成する第一のｘスキャナであって、前記光シートが前記ｘ方向と前記ｙ方向によって画定される平面内で連続的に形成される第一のｘスキャナと、
前記ｙ方向から、ｘ方向に走査される少なくとも１つの失活光線を、前記励起光線および失活光線のための統合スキャナである前記第一のｘスキャナを介して前記物体へと送り、前記励起光線を前記ｘ方向に走査することで生成される有効な前記連続的に生成される光シートを前記ｚ方向により薄くする失活光源であって、前記失活光線が少なくとも前記励起光線に関して前記ｚ方向にずれた地点で最大強度を有する失活光源４６と、
前記失活光線を、その断面がｚ方向に少なくとも２つの最大強度を有し、それらの間に、前記励起光線の中央に設けられたゼロ地点があるように、変調するように構成された失活光線変調器と、を有することを特徴とするＳＴＥＤ−ＳＰＩＭ顕微鏡。
【請求項２】
前記失活光線を変調するように構成された位相板を特徴とする、請求項１に記載のＳＴＥＤ−ＳＰＩＭ顕微鏡。
【請求項３】
前記励起光線をベッセルビームに変調するように構成された励起光線変調器を特徴とする、請求項１又は２に記載のＳＴＥＤ−ＳＰＩＭ顕微鏡。
【請求項４】
前記励起光線変調器が可変音響式屈折率分布型（ＴＡＧ）レンズであることを特徴とする、請求項３に記載のＳＴＥＤ−ＳＰＩＭ顕微鏡。
【請求項５】
前記励起光線変調器がアキシコンであることを特徴とする、請求項３に記載のＳＴＥＤ−ＳＰＩＭ顕微鏡。
【請求項６】
少なくとも前記励起光線を変調するようになされた、少なくとも１つの音響光学素子を特徴とする、請求項１〜５のいずれか一項に記載のＳＴＥＤ−ＳＰＩＭ顕微鏡。
【請求項７】
前記音響光学素子が音響光学偏向器（ＡＯＤ）であることを特徴とする、請求項６に記載のＳＴＥＤ−ＳＰＩＭ顕微鏡。
【請求項８】
前記音響光学素子が、前記励起光線の周波数と強度を調整するための音響光学可変フィルタ（ＡＯＴＦ）であることを特徴とする、請求項６に記載のＳＴＥＤ−ＳＰＩＭ顕微鏡。
【請求項９】
前記失活光線は一定の周波数を有することを特徴とする、請求項６〜８のいずれか一項一項に記載のＳＴＥＤ−ＳＰＩＭ顕微鏡。
【請求項１０】
前記励起光線と前記失活光線の強度を調整するように構成された、少なくとも１つの強度コントローラを特徴とする、請求項１〜９のいずれか一項に記載のＳＴＥＤ−ＳＰＩＭ顕微鏡。
【請求項１１】
前記強度コントローラが音響光学素子であることを特徴とする、請求項１０に記載のＳＴＥＤ−ＳＰＩＭ顕微鏡。
【請求項１２】
前記失活光線変調器が可変音響式屈折率分布型（ＴＡＧ）レンズであることを特徴とする、請求項１に記載のＳＴＥＤ−ＳＰＩＭ顕微鏡。
【請求項１３】
前記失活光線変調器が光空間変調器（ＳＬＭ）であることを特徴とする、請求項１に記載のＳＴＥＤ−ＳＰＩＭ顕微鏡。
【請求項１４】
前記失活光線を追加しない通常のＳＰＩＭモードである第一の動作モードと、前記失活光線が追加でオンにされるＳＰＩＭプラスＳＴＥＤモードである第二の動作モードの間で切り替えるように構成されたスイッチを特徴とする、請求項１〜１３のいずれか一項に記載のＳＴＥＤ−ＳＰＩＭ顕微鏡。
【請求項１５】
前記スイッチが、前記第一の動作モードと前記第二の動作モードの間で永久的な選択を行うように構成されていることを特徴とする、請求項１４に記載のＳＴＥＤ−ＳＰＩＭ顕微鏡。
【請求項１６】
前記スイッチが、前記第一の動作モードと前記第二の動作モードの間で、特定の切り替え周波数で自動的に切り替えるように構成されていることを特徴とする、請求項１４に記載のＳＴＥＤ−ＳＰＩＭ顕微鏡。
【請求項１７】
前記切り替え周波数を用いて前記第一の動作モードと前記第二の動作モードによって第一の検出方向に前記カメラによって検出された検出光を、２つのデータストリームに分割し、同時に、前記第一の動作モードによる画像と前記第二の動作モードによる画像を生成する画像処理ユニットを特徴とする、請求項１６に記載のＳＴＥＤ−ＳＰＩＭ顕微鏡。
【請求項１８】
前記励起光線の光線経路内に設置され、相互に機械的に動かされて開口数を変化させ、したがって、前記連続的に生成される光シートの焦点を拡張または短縮させ、したがって前記物体内で前記光シートによって照明される前記ｙ照明方向における視野の長さを拡張または短縮させる複数のレンズ集合を含む光学ズームを備える照明光学系を特徴とする、請求項１〜１７のいずれか一項に記載のＳＴＥＤ−ＳＰＩＭ顕微鏡。
【請求項１９】
前記ｘ方向と反対の第二の方向に、前記物体から発せられた蛍光および／または反射検出光を検出する光検出器を特徴とする、請求項１〜１８のいずれか一項に記載のＳＴＥＤ−ＳＰＩＭ顕微鏡。
【請求項２０】
ＳＰＩＭ法を適用することによってｚ方向に検出される二次元広視野画像と平行して、前記ｙ方向に延びる線である、前記物体の共焦点一次元画像が生成されることを特徴とする、請求項１９に記載のＳＴＥＤ−ＳＰＩＭ顕微鏡。
【請求項２１】
前記物体を前記ｚ方向に移動させて、それぞれの照明面にて相互にｚ方向に離間された複数の光シートが連続的に生成されるようにし、前記各光シートと前記カメラの間の距離が一定のままであるｚスキャナを特徴とする、請求項１９に記載のＳＴＥＤ−ＳＰＩＭ顕微鏡。
【請求項２２】
次の動作モード、
ｉ）前記ｙ励起方向と反対の検出光の共焦点検出、
ｉｉ）前記ｚ方向での広視野検出光のＳＰＩＭ検出、
ｉｉｉ）前記ｚ方向での広視野検出光の多光子検出、
ｉｖ）前記共焦点検出とＳＰＩＭ検出の同時検出、
ｖ）前記共焦点検出と多光子検出の同時検出、
の間で切り替えるように構成されたスイッチを特徴とする、請求項１９〜２１のいずれか一項に記載のＳＴＥＤ−ＳＰＩＭ顕微鏡。
【請求項２３】
前記動作モードｉ）〜ｖ）は、選択的に追加で前記ＳＴＥＤ失活光線をオンにして、またはオンにせずに実行可能であることを特徴とする、請求項２２に記載のＳＴＥＤ−ＳＰＩＭ顕微鏡。
【発明の詳細な説明】
【技術分野】
【０００１】
本発明は、励起光線をｙ方向から画像化対象の物体へと送る光源と、物体から発せられる蛍光および／または反射光として発せられる光を、第一の検出方向としてｚ方向に検出するカメラと、を備え、ｚ方向はｙ方向に対して略垂直に延びるＳＰＩＭ顕微鏡に関する。
【背景技術】
【０００２】
特に、生体試料の分析は、素早く、かつ試料を損傷せずに行うべきである。多くの用途において、三次元画像を生成することが有益である。特に照明光が蛍光を励起するための励起光の役割を果たす蛍光顕微鏡の分野においては、照明光と試料との相互作用による散乱アーチファクトと吸収アーチファクトを回避するべきである。
【０００３】
顕微鏡用試料を、高速で、損傷を与えずに、高い解像度で分析するためには、いわゆるＳＰＩＭ（選択的平面照明顕微鏡若しくは選択的面結像顕微鏡）法が特に適しており、この技術においては、照明光が光シートを生成し、その一方で、蛍光と反射によって生成される検出光が、カメラによって、照明方向と比較して垂直な方向に検出される。
【０００４】
光シートは、略長方形の断面を有する照明対象域（illumination volume）であり、この断面は、第一の断面方向（ここではｚ方向）には非常に薄く、第二の断面方向（ここではｘ方向）には、第一の断面方向と比較して有意に大きい。照明方向（ここではｙ方向）は、第一の断面方向（ここではｚ方向）に対して略垂直かつ、第二の断面方向（ここではｘ方向）に対して略垂直に延びる。光シートは、円柱レンズによって合焦され、光シートの焦点または焦点距離は、照明方向（ここではｙ方向）に延びる特定の範囲と理解するものとし、この範囲で光シートは特に薄く、それによって、照明される対象域（volume）がシートの形状を有し、すなわちｚ方向に非常に薄く、ｘ方向とｙ方向にははるかに大きい。
【０００５】
円柱レンズを用いる先行技術のＳＰＩＭ法による光シートの生成には、システムの柔軟性が非常に低いという欠点があり、たとえば焦点が固定され、したがって照明される対象域も予め決定される。高解像度とするためには、非常に薄くて長い焦点が有利である。この焦点を走査して、試料についての一方向の三次元画像を得ることができる。長さが長くなると幅も広くなるため、ｚ方向の解像度が低下する。これは、照明光学系に低い開口数を選択することによって焦点を長くすると、照明対象域の厚さも厚くなることを意味する。これは、検出方向への光軸に沿った光学解像度も同様に低下することを意味する。実際の用途に応じて、矛盾する目的が生じる。すなわち、照明光の浸透深度を深くするべきである場合は、長い焦点が必要であるが、これによって光シートが厚くなり、したがって解像度が低下する。焦点は、照明光学系の開口数を小さくすると長くなる。
【０００６】
照明光の浸透深度を深くし、同時にまた、解像度を高くすることが望ましいこととは別に、一般に、照明対象域に変更を加える柔軟性があることもまた望ましい。たとえば、用途によっては、より大きな照明対象域が必要かもしれず、たとえば、物体の特定の対象域の中で起こる化学反応を観察する場合等である。これに対して、より小さな照明対象域もまた望ましいかもしれず、これは特に、たとえば物体内の拡散速度を測定するために、たとえばより明確に画定される層または平面を持たせるために、より薄い光シートによって得られる、より薄い照明対象域である。
【０００７】
本発明の目的は、冒頭に記した顕微鏡の柔軟性を改善し、特に、照明対象域を選択する際の柔軟性を改善して、使用する顕微鏡の種類を選択する際の柔軟性を改善することである。
【発明の概要】
【課題を解決するための手段】
【０００８】
本発明によれば、上記の目的は、ｘ方向に励起光線を走査することによって、連続的光シートを生成する第一のｘスキャナであって、ｘ方向はｙ方向とｚ方向に対して略垂直に延び、光シートがｘ方向とｙ方向によって画定される平面内で連続的に形成される第一のｘスキャナと、ｙ方向から、ｘ方向に走査される少なくとも１つの失活光線（deactivation light beam）を、励起光線および失活光線のための統合スキャナである第一のｘスキャナを介して物体へと送り、励起光線をｘ方向に走査することで生成される有効な連続的に生成された光シートをｚ方向により薄くする失活光源（deactivation light source）であって、失活光線が、少なくとも励起光線に関してｚ方向にずれた地点で最大強度を有する失活光源と、失活光線を、その断面がｚ方向に少なくとも２つの最大強度を有し、それらの間に励起光線の中心に位置付けられるゼロ地点があるように変調するようになされている失活光線変調器と、によって達成される。
【０００９】
別の例において、失活光線を失活光線のサイドローブ（周辺最強部）もまた失活されるように変調することもできる。この場合、励起光線のサイドローブのピークが失活光線のピークと一致すれば有利である。励起光線は、より強力なサイドローブが生成されるように変調することが可能である。これによって主要最強部をより長く、より薄くすることができる。サイドローブ（周辺最強部）がより強力であると、失活しない場合、ｚ方向への解像度が低下する。しかしながら、周辺最強部を失活すれば、解像度は増大する。
【００１０】
さらに、「可変音響式屈折率分布型レンズ（Tunable Acoustic Gradient Index of Refraction Lenses）」、略してＴＡＧレンズを使用することができ、これによって、励起光線の変調をさまざまに選択できることになる。このようなＴＡＧレンズを用いれば、別の方法でベッセルビームを生成できる。このようなＴＡＧレンズでは、光屈折流体が円形の圧電素子の中に入れられ、交流電流によって励起されて、交番の屈折率を生成する。励起信号の振幅と周波数の変化によって、透過パターンを高速で変化させることができる。実現可能な切り替え速度は、切り替え動作の間の、安定したパターンを確立するのに必要な時間によって決まり、これは主として流体の粘度に依存する。流体粘度が６４０ｃｓから０．６５ｃｓの場合、３００から２０００μｓの切り替え速度が可能である。
【００１１】
本発明の他の好ましい実施形態によれば、位相板が提供され、これは失活光線を変調するようになされている。より薄い光シートを生成する側でのみ励起が狭められるように失活光線を変調するべきである場合、１枚の位相板で十分である。しかしながら、別の例では、すべての側の各々の励起点を、たとえばボルテックスフィルタや円形位相板によって狭めることも可能であり、または２枚の位相板を設置し、相互に関して９０°の角度で配置して、ｘ方向（走査方向）とｚ方向（連続的に生成される光シートの厚さ）の両方において狭めることが可能である。
【００１２】
本発明の別の好ましい実施形態によれば、励起光線をベッセルビームに変調するための励起光線変調器を提供することができる。
【００１３】
本発明の他の好ましい実施形態によれば、励起光線変調器は、可変音響式屈折率分布型（Tunable Acoustic Gradient Index of Refraction）（ＴＡＧ）レンズである。これに加えて、多光子励起は、変調された励起光線のサイドローブの励起可能性が連続光での励起（連続波、すなわちＣＷ励起とも呼ばれる）の場合の１０の２乗分の１しかなく、したがって検出時の背景がより少なくなるという利点を有する。特に、連続光による励起の場合、励起光線のサイドローブを抑制するための失活光線の変調が有益な場合があり、失活光線も同様にＴＡＧレンズによって変調することができる。
【００１４】
本発明の他の好ましい実施形態によれば、励起光線変調器はアキシコン（Axicon）である。
【００１５】
本発明の他の好ましい実施形態によれば、少なくとも１つの音響光学素子が提供され、これによって、少なくとも、励起光線を変調することができる。
【００１６】
本発明の他の好ましい実施形態によれば、音響光学素子は音響光学偏向器（ＡＯＤ，Acousto Optical Deflector）である。ＡＯＤによって、たとえば走査機能を提供するために、照明光線を偏向させることができる。別の例において、走査機能を提供するために、ＡＯＤの代わりに検流計を設置することができる。
【００１７】
本発明の他の好ましい実施形態によれば、音響光学素子は、励起光線の波長を選択し、その強度を調整するための音響光学可変フィルタ（ＡＯＴＦ，Acousto Optical Tunable Filter）である。ＡＯＴＦにより提供される特別な利点は、その二重の機能を果たす、すなわち強度と波長の両方を調整できることである。特に、強度はＡＯＴＦによって広い限度内で制御することができ、すなわち、ＡＯＴＦの出力側での出力強度は、入力強度のほとんど１００％まで調整でき、かつ入力強度の千分の数強度程度の低さまで制御できる。
【００１８】
本発明の他の好ましい実施形態によれば、失活光線の波長は一定である。これには、たとえばＡＯＴＦによって失活光線の波長を変調する必要がないという利点がある。この目的のために、マルチカラー蛍光顕微鏡において、好ましくは、異なる励起波長を有するが、一つの同じ失活波長で失活させることが可能な染料が選択される。
【００１９】
本発明の他の好ましい実施形態によれば、励起光線と失活光線の強度を選択するための、少なくとも１つの強度コントローラが提供される。
【００２０】
本発明の他の好ましい実施形態によれば、強度コントローラは音響光学素子を含む。
【００２１】
本発明の他の好ましい実施形態によれば、スイッチが提供され、これは、失活光線を追加しない通常のＳＰＩＭモードである第一の動作モードと、それに加えて失活光線がオンにされるＳＰＩＭプラスＳＴＥＤモードである第二の動作モードとを切り替えるようになされている。
【００２２】
本発明の他の好ましい実施形態によれば、スイッチは、前記第一の動作モードと前記第二の動作モードの間で永久的な選択を行うようになされている。
【００２３】
本発明の他の好ましい実施形態によれば、スイッチは、前記第一の動作モードと前記第二の動作モードとを特定の切り替え周期で自動的に切り替えるようになされている。
【００２４】
本発明の他の好ましい実施形態によれば、画像処理ユニットが提供され、これは、切り替え周期を用いて第一の動作モードと第二の動作モードでカメラによって第一の検出方向に検出される検出光を２つのデータストリームに分離して、第一の動作モードによる画像と第二の動作モードによる画像を同時に生成する。
【００２５】
本発明の他の好ましい実施形態によれば、照明光学系が提供され、これは励起光線の経路内に設置され、複数のレンズ集合を含む光学ズームを備え、レンズ集合は相互に関して機械的に移動されて、開口数を変化させ、したがって連続的に生成された光シートの焦点を拡張または短縮し、したがって物体内で光シートにより照明されるｙ照明方向への視野の長さを拡張または短縮する。照明光学系は、好ましくは、照明対物レンズを備える。柔軟性のある光学ズームユニットによって、光シートの長さ（ｙ方向とｚ方向）を調整できる。薄い層だけを照明するべきである場合はズーム光学系の開口数を大きくするが、その結果、光シートの使用可能な長さは短くなる。本発明は、このような目標の相反を克服するために、ＳＴＥＤ光線による失活を追加することによって光シートを薄くし、したがって照明対象域を薄くするもので、それによって、同時に、長い焦点を有し、また、薄い、連続的に生成される光シートが得られる。一連の画像は、ｚ方向に沿って高い解像度で撮影することができる。ズーム光学系の光学パラメータがわかっているため、適当な画像処理を選択することによって、その領域だけを使って合成し、高解像度の画像を提供することができる。
【００２６】
本発明の他の好ましい実施形態によれば、光検出器が提供され、これは、物体から発生される蛍光および／または反射検出光を、ｘ方向と反対の第二の検出方向に検出する。光検出器は一般に、カメラより高速であるが、位置推定を行えないものの、これは絶対的に必要なことではなく、それは、多光子照明光線を介して位置推定を実現できるからである。特に、多光子照明の場合、これは容易に実現でき、この種の照明では、ある時点で物体の中のどの特定の対象域部分が照明されたかがほとんど正確にわかり、考えうるあらゆる方向からの信号検出光を走査できるからである。
【００２７】
本発明の他の好ましい実施形態によれば、ＳＰＩＭ法の適用によってｚ方向に検出される二次元広視野画像と平行して、物体の一次元共焦点画像も生成され、これはｙ方向に延びる直線である。二次元画像は、前述のように光シートによって照明され、ズーム光学系により変更された照明面を画像化しており、同時に、それと平行して、いわゆるｘ−ｔ画像が生成され、これはすなわち、特に生体試料において、たとえば分子またはその他の細胞部分（細胞小器官）の拡散を介して、物体内の特定の要素の移動速度に関する情報を提供する直線画像である。
【００２８】
本発明の他の好ましい実施形態によれば、ｚスキャナが提供され、これは、物体をｚ方向に移動させて、ｚ方向に相互に離間された連続する数枚の光シートを生成し、したがって、数枚の照明面を提供し、各光シートとカメラの間の距離は一定に保たれる。利点は、照明光学系全体のほか、選択的にオンにすることのできるＳＰＩＭ検出光学系と共焦点検出光学系を、これに加えて同じ位置のままにしておくことができることと、さらに、照明光線をスキャナによってｚ方向に偏向させる必要がなく、その結果、照明光学系が単純となることである。別の例においては、しかしながら、照明光学系を移動させるか、または、たとえば音響光学偏向器（ＡＯＤ）または検流計によって照明光線をｚ方向に偏向させることも可能である。この場合、好ましくは、ＳＰＩＭ検出光学系を照明に追従させて移動し、そのためには、ＳＰＩＭ検出光学系の対物レンズの位置を変えるか、カメラを含めたＳＰＩＭ検出光学系全体を移動させればよい。
【００２９】
本発明の他の好ましい実施形態によれば、スイッチが提供され、これは、以下の動作モードの間で切り替えるようになされている。ｉ）ｙ照明方向と反対の検出光の共焦点検出、ｉｉ）ｚ方向への広視野検出光のＳＰＩＭ検出、ｉｉｉ）ｚ方向への広視野検出光の多光子検出、ｉｖ）上記の共焦点検出とＳＰＩＭ検出の同時検出、ｖ）上記の共焦点検出と多光子検出の同時検出。
【００３０】
本発明の他の好ましい実施形態によれば、動作モードｉ）〜ｖ）は、ＳＴＥＤ失活光線を追加でオンにしたり、しなかったりすることにより、選択的に実行できる。オンまたはオフの切り替えは、線ごとに、または画素ごとにさえも行うことができ、データストリームは分離できる。これによって、異なる照明対象域を画像化した２つの異なる画像を生成することができる。これらの画像はまた、オーバーレイによって合成することもでき、これはたとえば、より大きな照明対象域内の化学反応を観察するため、しかし同時にまた、より小さな照明対象域内であるが、たとえば二次元ＦＣＳ（蛍光相関分光法）を通じて可能な場合のように、より高い精度で拡散速度を検出するためにも利用できる。
【００３１】
以下に、本発明を、図面を参照しながら説明する。
【図面の簡単な説明】
【００３２】
【図１】先行技術によるＳＰＩＭ法の基本原理を示す概略斜視図である。
【図２】先行技術によるＳＰＩＭ法による照明光線の経路と検出光線の経路の概略図である。
【図３】先行技術によるＳＴＥＤ原理もまた示す概略図である。
【図４】本発明による顕微鏡の概略図である。
【図５】位相板によるＳＴＥＤ失活光線の変調を示す概略図である。
【図６】図４に示される本発明による顕微鏡をｘ走査方向に見た概略図であり、励起光線、失活光線および検出光線の経路が含まれる。
【図７】図６に示される顕微鏡をｙ照明方向に見た概略図である。
【図８ａ】座標ｘ、ｙ、ｚとした、励起光線の断面のほか、これに関係する強度分布である。
【図８ｂ】座標ｘ、ｙ、ｚとした、励起光線と失活光線との比較のほか、ｘ方向への走査によって生成される連続光シートおよび強度分布である。
【図９】多光子信号を検出するためにＳＰＩＭ検出光学系を追加で使用する、本発明の他の実施形態の概略図である。
【発明を実施するための形態】
【００３３】
図１は、先行技術によるＳＰＩＭ顕微鏡の原理を簡潔に示しており、この顕微鏡は「選択的面結像（Selective Plane Imaging）」法の原理に基づいて動作する。照明はｙ方向に、物体の特定の物体面を照明する光シートによって行われる。検出方向は、光シート１に対して略垂直に、すなわちｚ方向に延び、検出光の検出は対物レンズ３によって行われる。図１に示されるように、光シート１は、ｚ方向に高い解像度を得るために、内側部分の範囲にわたり特に薄くあるべきである。高い解像度は、光シート１が物体内で狭い焦点を有する場合に得られる。
【００３４】
以下により詳しく説明するように、この焦点距離は変更することができ、画像化される視野はより大きくなるが、焦点の鮮鋭さが低下し、したがって光シート１の狭さが低下し、したがってｚ方向への画像の解像度が低下する。具体的な用途によっては、ｚ方向への解像度は低いが、同時に、より厚い光シートに基づく、より大きな視野とより大きな画像化対象域を得ることが有益かもしれない。より大きな画像化対象域はまた、生成された画像でも画像の中の関心対象物をよく見ることができれば有益かもしれないが、同時に、より大きな画像化対象域とすることは、画像化された対象域の中に関心対象物が確かに含まれていることを確認しやすいという利点を有する。その後、関心対象物について、はるかに高解像度の画像を生成するべきであれば、ズーム光学系によって連続的な光シート１の焦点を操作して、焦点をより小さく、しかしより鮮鋭にすることが可能である。
【００３５】
共焦点走査顕微鏡と異なり、ＳＰＩＭ法によりｚ方向の検出光を検出するには、ＳＰＩＭ法が広視野顕微鏡法であることから、検出された光の位置推定が必要である。位置推定は一般に、カメラ、たとえばＣＣＤカメラまたはＣＭＯＳカメラによって行われる。物体の三次元画像をＳＰＩＭ法で生成すべき場合、光シート１または物体をｚ方向に走査でき、さまざまな照明面で得られた画像を合成して、三次元画像を生成することができる。この画像処理はまた、この場合はｚ方向の「レンダリング」と呼ばれる。
【００３６】
図２は、ＳＰＩＭ顕微鏡の先行技術による照明光線の経路を概略的に示す。レーザ４は照明光線５を生成し、これがビームエキスパンダを通じてコリメートレンズ６に送られ、その後円柱レンズ７によって引き継がれて、光シート１が物体に合焦される。対物レンズは検出光を集光し、これをカメラ９に向ける。光シートの焦点は、レンズ集合の中の要素を移動させることによって変更することができ、この図２による、ごく単純化された例においては、円柱レンズ７をコリメートレンズ６に関して移動させることによる。
【００３７】
本発明によれば、光シート１は、これに加えてＳＴＥＤ（Stimulated Emmision Depletion（誘導放出抑制））失活光線をオンにすることによってさらに狭めることができ、すなわち、より薄くしてｚ方向への解像度を高めることができる。先行技術から知られているＳＴＥＤ顕微鏡の基本構造を図３に示す。励起光線３１と失活光線３２は、ビームコンバイナによって、この実施形態においてはたとえばダイクロイックフィルタによって合成されて、統合光線経路３４として対物レンズ３を通って物体２へと向けられる。それらの間には、いくつかのその他の光学素子、たとえばレンズ、光伝導ファイバまたはカラーフィルタ等を設置できる。失活光線は一般に、その強度分布において変調され、これはたとえば、図５に関して以下に説明するような位相板によって実現できるが、その目的のために特に構成されたレンズによっても実現可能である。変調は、失活光線がその中心においてゼロ地点を有するように実行することができ、これは、強度がゼロ地点においてゼロであるか、または非常に低く、このゼロ地点の周囲に、均一の環状の強度最大値が得られることを意味する。蛍光顕微鏡で使用される染料は、特定の励起波長と失活波長で反応して、特によく蛍光を励起し、または蛍光を失活させる。一般に、励起波長と失活波長は相互に異なり、励起光線と失活光線は相互に関して時間的に遅延されて物体に送られる。これはパルスＳＴＥＤと呼ばれるが、ハイブリッド版も利用可能であることが明らかとなっている。
・パルス励起と遅延パルス失活
・ＣＷ（連続波）励起とＣＷ失活
・パルス励起とＣＷ失活
・パルスＭＰ（多光子）励起とパルス失活
・パルスＭＰ（多光子）励起とＣＷ失活
【００３８】
励起により、特定の大きさの画像点を励起して、蛍光を発生させることができ、その一方で、その直後に、励起の中心の周囲で失活を適用することができ、それによって物体２のこの画像点から発せられた蛍光を狭めて小さな画像点とし、したがって解像度を改善することができる。マルチカラー蛍光顕微鏡では、さまざまな異なる染料を使用でき、これらは異なる励起波長によって相互に区別され、すなわちさまざまな波長の励起光によって、蛍光を発生するために特に強力な励起を行うことができる。好ましくは、染料は、これらが共通の同じ失活波長で失活でき、さまざまな失活波長を供給する必要がなくなるような組み合わせで選択することができる。
【００３９】
対物レンズ３を通って物体から送り戻される検出光３５は、ビームスプリッタ、この場合は同様にダイクロイックミラー３７によって、レンズと適当な開口３８を通って送られ、光検出器３６への散乱光を除去することができる。
【００４０】
ＳＴＥＤ顕微鏡の基本構造を示す図３の例において、励起光線と失活光線は、統合された光線経路へと合成される。検出光線の経路は、ある範囲にわたって、励起光線と失活光線と同軸的であるが、これらに関して反対方向に延び、その後、検出光線がダイクロイックミラー３７によって光検出器３６へと側方へと分離される地点に至る。このような構成は特にコンパクトであるが、理解すべき点として、失活光線はまた、別の失活光線光学系から送ることもでき、それによって、照明光学系とは無関係に、失活光線の変調をより柔軟に行うことができる。
【００４１】
位相板３９による失活光線４０の変調を図５に示す。位相と強度分布はどちらも、このような位相板３９によって変調可能である。この目的のために、位相板は、失活光線４０は変調されるが、励起光線４１は変調されないように設計され、すなわち、変調は、励起光線４１と比較して失活光線４０については異なる波長に依存する。
【００４２】
図４は、本発明によるＳＰＩＭ顕微鏡の概略的構造を示しており、照明光線の経路は参照番号１０で示され、ＳＰＩＭ検出光線の経路は参照番号１１で示される。照明光学系の光線経路１０は、これに加えて共焦点検出光線の経路の機能も有するが、これは照明方向と比較して反対方向に延びる。
【００４３】
まず、照明光学系の光線経路について説明する。レーザ４が発生する照明光はスキャナ１２を介してズーム光学系１３に送られる。スキャナ１２は、物体２を照明するための連続的な光シート１を生成する。光シート１を連続的に生成するために、照明レーザ光線はｘ方向、すなわち図４によれば、それぞれ図の平面から出る、または図の平面に入る方向に走査される。レーザ光線は、たとえば、円形の断面を有するが、別の例においては、その断面形状が変調されてもよく、たとえば、楕円の断面にして、楕円の断面の長軸がｘ方向に延びるようにしてもよい。同様に、照明光線の経路は、たとえば長方形とすることができ、あるいはその他どのような形状にしてもよい。
【００４４】
ＳＰＩＭ検出光線の経路１１はｚ方向、すなわち照明光線の経路１０が延びるｙ方向に対して略垂直に延びる。照明ビーム光線の経路と検出光線の経路との垂直の関係を若干ずらすことが有利かもしれず、たとえば、２つの経路の間で９０°より小さい、または大きい角度を、たとえば物体内の部分または粒子のための背景照明を提供するため等に選択することができる。たとえばｍＳＰＩＭ法として知られているように、異なる角度から画像を検出して、その後、これらを合成することが可能である。以下に、説明を簡単にするために、長方形の関係について説明するが、理解するべき点として、ずれた角度も包含され、これはしかしながら、多かれ少なかれ９０°に近いと理解されるべきである。反射または蛍光発生のいずれかによって物体２から発せられた検出光は、対物レンズ３によって集光される。特に、マルチカラー検出の場合、カラーフィルタ１４が対物レンズの下流に設置され、特定の波長の検出光がフィルタにかけられ、この光は次に、管状レンズ１５を介して、カメラ１６、たとえばＣＣＤカメラ１６に向けられる。
【００４５】
追加のレーザ４６が設置され、特定の波長の失活光を生成する。失活光の波長は、励起光の波長とは異なる。一般に、失活光は励起光より長い波長を有する。マルチカラー顕微鏡の場合、異なる励起波長を有するが、だいたい同じ失活波長を有する染料が選択される。これには、失活波長を発生するために、その失活波長そのものを生成するレーザを１つだけ設ければよく、その波長の変調が不要であり、波長変調のためのコストを削減でき、たとえば音響光学素子（ＡＯＴＦ）が不要となり、それぞれＡＯＴＦを駆動するための周波数発生器も不要となるという利点がある。ＳＴＥＤの場合、約２０の染料が知られており、たとえば５９０ｎｍの波長での励起と６００ｎｍの波長での失活、あるいは４００ｎｍの波長での励起、５３２ｎｍの波長での失活が知られている。励起と失活はどちらも、周波数のほか、強度に関して、ＡＯＴＦによって調整可能である。
【００４６】
図３に関連してすでに述べたように、失活光は、励起光と同じ光学系を介して送ることができ、すなわち、同じ経路をたどり、また、たとえば後に図６に示されるように、別の光線経路を介して送ることもできる。図４による実施形態において、レーザ４は励起光を生成し、レーザ４６は失活光を生成し、これを、統合スキャナ１２を介して走査する。
【００４７】
三次元画像を生成するために、物体キャリア１７をｚ方向に走査して、物体２の中の連続的に異なる照明面を照明することができ、照明面の各々は、ｘ方向に走査される走査レーザ光線によって走査され、したがって各々の照明面において連続的に形成される、連続的に形成される光シート１によって照明される。ｚ方向に隣接する複数の連続的に形成される光シート１は、ｚ方向に「レンダリング」によって合成することができる。
【００４８】
三次元画像をｚ駆動の「レンダリング」で生成するべきである場合、物体２を移動させることは、物体内のそれぞれの隣接する照明面と対物レンズとの間の距離が一定であるという点で有利であり、これは、照明光線の位置も変化しなければ、カメラ１６の位置も変化しないからである。別の例において、光シート１をたとえば検流計によってｚ方向に走査することも可能である。これには、しかしながら、対物レンズ３もまた移動させて、それぞれの照明面と物体との間の距離が同じになるようにする必要がある。別の例においては、もちろん、対物レンズ３、フィルタ１４、管状レンズ１５およびカメラ１６を含むＳＰＩＭ検出光学系の全体を移動させることも可能である。
【００４９】
照明検出光学系の光線経路１０は、前述のように、共焦点検出光線の経路の機能をさらに有していてもよく、その目的のために、物体から反射された光をｙ方向に検出し、および／または発せられた蛍光を検出するために、検出器１８を設置することができる。検出光線の経路１１を通じてＳＰＩＭ法により画像を検出するのと同時に、平行して共焦点画像検出を実行することも可能であり、これは、光シート１がｘ方向への走査によって連続的に生成されるからである。生成される共焦点画像は、ＳＰＩＭ検出によって検出される画像と比較して、一次元低い。たとえば、ＳＰＩＭ検出によって二次元画像だけが生成される場合、すなわち１つの画像面だけの画像の場合、いわゆるｘ−ｔ画像、すなわち１次元直線画像を検出することも可能である。これは、たとえば、蛍光を発生するためにマーカによりマークされるか、染色される特定の分子の拡散速度を測定するために使用でき、その一方で、同時に画像化される二次元ＳＰＩＭ画像からは、異なる情報、たとえば物体の画像化された画像面内のどの分子が他のどの分子と結合するかという情報が提供されるかもしれない。
【００５０】
ＳＰＩＭ検出によって、ｚ駆動で三次元画像が生成される場合も同じことが言え、すなわち共焦点二次元画像が生成される。このように、たとえば、三次元形状の物体の中のどの分子が他のどの分子と結合するかを判定することが可能であり、その一方で、平行して、特定の面を通じて拡散する分子の拡散速度も測定できる。“ｎ”次元のＳＰＩＭ画像と平行して“ｎ−１”次元の共焦点生成画像を同時に検出することにより、その組み合わせで、追加の判断が可能となり、たとえば追加の速度情報から、物体２の中でどの個体の要素、たとえば分子またはその他の要素が移動しているかを判断することができる。特に、顕微鏡の分野において、これによって生体内での新たな用途が見出される。
【００５１】
図６は、本発明の別の実施形態を示す。同様の要素には、それ以前の図面と同じ参照番号が付与されている。また、この図において、ＳＰＩＭ検出光線の経路は参照番号１１で示されており、その一方で、照明光線の経路は参照番号１０で示されている。また、図６によるこの実施形態において、照明光線の経路１０は、追加の検出光線の経路の機能を有し、開口２０を通じて共焦点検出光２１を受けるフォトダイオード１９によって信号検出が行われ、それぞれの信号は画像処理ユニット２２を介してモニタ２３に送られる。検出光は、ダイクロイックミラー２４によってフォトダイオード１９へと偏向される。フォトダイオード１９の代わりに、その他の光センサ、たとえばアバランシェダイオード、光電子増倍管またはカメラを設置することができる。これは共焦点画像検出に関するものであるため、位置推定は不要であり、これは、位置に関する情報は走査された照明光線から得られ、すなわち、ある時点で物体のどの画像点が照明されているかがわかり、したがって、その特定の画像点から受け取った信号が、信号を受信する直前に照明されていた画像点からのものであるという情報がわかるからである。したがって、共焦点検出にはカメラのためのコストが不要となる。
【００５２】
連続的に生成される光シート１の焦点を変更するために、ズームレンズ２５を、別のレンズ２６に関してｙ方向に移動させてもよい。実際の用途においては、レンズ集合がこの目的のために設置されるが、簡素化のために、説明する実施形態では、ズームレンズ２５を１枚だけ示す。したがって、ズーム光学系１３は、照明対物レンズ（マクロ対物レンズ）との組み合わせにより、焦点距離の範囲２７を変更する光学ズームとなる。焦点が鮮鋭となるほど、使用可能な焦点距離は短くなるが、同時に、光シート１はより薄くなる。簡素化のために、ＳＰＩＭ検出光学系の詳細は、図６では省略されており、これらの光学系はすでに、対物レンズ３、フィルタ１４および管状レンズ１５を含むものとして図４に示されているからである。概略的に示されているＣＣＤカメラ１６は、ｚ方向に受け取る検出光のためのｘ−ｙ面における位置推定ステーションとなる。ＳＰＩＭ画像処理ユニット２８を介して、ＣＣＤカメラにより受け取られた信号は処理され、ＳＰＩＭモニタ２９に送られる。物体２内の多数の面を照明するべきである場合、物体キャリア１７をｚ方向に移動することができる。図６の例から明確にわかるように、照明面とＣＣＤカメラとの間の距離Ｌは常に一定である。図４に関してすでに説明したように、照明光線をｚ方向に移動させ、その一方で、物体２を同じ位置に保持することも可能であり、また、代わりにＣＣＤカメラを移動させることによって、あるいは実行しやすい方法として、対物レンズ３のＣＣＤカメラ１６に関する位置を変えることもできる。
【００５３】
レーザ４６によって生成された失活光線は、ＳＴＥＤ光線とも呼ばれ、本実施形態によれば、別々の失活光線の経路４７を介して送られる。照明光線と同じように、失活光線もまた、最初に拡張され、その後、統合ズーム光学系によって合焦される。
【００５４】
走査モジュール１２の前のダイクロイックミラーを介して、失活光線の光線経路は次に偏向され、これによって失活光線の経路は励起光線の経路と同軸的に延びる。失活光線の変調は、図５に関してすでに説明した位相板３９を介して行われる。失活光線の変調の種類については、図８ａと図８ｂを参照することによって、後にさらに詳しく説明する。
【００５５】
図７は、図６に示される実施形態を異なる視点、すなわち照明光線の方向から見た図、すなわち、ｙ方向に見た図である。ここでは特に、連続的に形成される光シート１を生成するためにｘ方向に走査される個別の照明点３０のほか、照明点に平行な列における失活点を同様にｘ方向に走査することによって物体に送られる失活点５０が示されている。ダイクロイックミラー２４は検出光をフォトダイオード１９の方向に偏向させる。物体キャリア１７はｚ方向に走査することができ、すなわち、ＣＣＤカメラ１６に向かって移動させ、またはＣＣＤカメラから遠ざかるように移動させて、物体内の異なる照明面を照明するようにすることができる。
【００５６】
また、励起光線と失活光線を、１つのレーザ４（白色光レーザ）だけで生成することも可能であろう。この目的のために、光線を分割し、光線の一部が音響光学素子、たとえば音響光学可変フィルタ（ＡＯＴＦ）を通過するようにし、ここで所望の波長を選択できる。パルスレーザの使用により、励起光線と失活光線との間で、いわゆる遅延ステージによって時間遅延を発生させることができる。
【００５７】
励起光線と失活光線の関係を図８ａと図８ｂに示す。図８ａは、円形の励起光線４１の断面を示す。方向ｘ、ｙおよびｚは、図４と図５に示されているように、図８ａと図８ｂにも示されている。励起光線の強度分布プロファイルが右側に示されており、これは一般に、回折による比較的小さいサイドローブを除いて、ガウス分布に従っている。図８ｂは失活光線４０を示しており、これは、励起光線４１の両側に最大強度があり、それらの間に、強度がゼロであるか、または少なくとも非常に低いゼロ地点があるように変調されている。図８ｂからわかるように、失活光線４０の、ゼロ地点の両側に配置された最大強度は、断面が円形ではなく、その断面は、励起中心から遠い方面する側と比較すると、中心に向かって平坦化された曲率を有する。図８ｂにおいて破線で示されている、連続的に生成される光シート１として、中心領域の小さな帯状部分だけが残り、この部分においては、失活光は蛍光を失活させない。励起光線４１、失活光線４０および連続的に生成される光シート１の断面の右側に、励起光線４１と失活光線４０の強度Ｉの強度分布が、図８ｂの右側に示されている。
【００５８】
図８ｂから、本発明の別の利点が明らかとなり、これは、先行技術の共焦点ＳＴＥＤ顕微鏡と異なり、有効な失活のために全周に照明点を画定する必要がなく、連続的に生成される光シートをより薄くするための各側で照明点を画定すればよい、という点である。これによって、失活光線の変調を単純化でき、これは、たとえば図５に示されるような１枚の位相板３９だけで実現できる。
【００５９】
１つの特定の実施形態によれば、片側だけの光シートを、失活光線を適用することによって、より薄くすることも可能である。失活光線の特定の変調によって、片側だけの失活光線プロファイルを生成でき、これは片側の急峻な側面と最大強度を有し、最大強度は好ましくは、励起強度が最大の領域内にある。片側失活光線には、楕円または一種の長方形等、その他の断面形状もまた有利かもしれない。
【００６０】
理解するべき点として、別の例においては、全周にわたる失活も実行でき、これは、たとえば円形の位相板を有するボルテックスフィルタによって生成できる、ドーナツ型の失活光線により実現可能である。これは、照明方向に対して９０°の角度でのＳＰＩＭ信号検出と平行して、照明方向と比較して反対方向に共焦点検出が行われる場合にいくつかの点で有利であり、これは前述のとおりである。
【００６１】
ＳＴＥＤ失活光線は、選択的に、これに加えてオンにすることができ、またはオフにすることができ、これもまた、ｘ方向に線ごと、または画素ごとに実行できる。失活光線がいつオンにされたか、またはオフにされたかの情報はわかるため、それぞれのデータストリームを分割でき、すなわち、より厚い光シートに基づき、それぞれより大きな照明面積（照明焦点の断面と比較）とより大きな照明対象域をカバーする画像を生成するための第一のデータストリームと、より薄い光シートに基づき、より小さな照明面積（照明焦点の断面に関して）とより小さな照明対象域での画像を生成するための第二のデータストリームに分割できる。これによって、同時に、ＳＴＥＤ光線を追加することによって、ｚ方向に、高解像度の画像と、ＳＴＥＤ光線を追加せずに、ｚ方向に、より低い解像度であるが、物体内のより大きな対象域を照明する利点を有する画像を生成することができる。
【００６２】
ＳＴＥＤ光線を追加し、またはオフにすることとは無関係に、この顕微鏡によって、平行して、同時に、ｎ次元のＳＰＩＭ顕微鏡画像とｎ−１次元の共焦点生成画像を生成することができ、その一方で、これらの画像はまた、平行して、それぞれＳＴＥＤ光線を追加でオンにし、またはオフにすることによって、高い解像度で、または低い解像度でｚ方向に生成することができる。全体として、以下のデータセットを生成する４つの別々のデータストリームを同時に生成することが可能である。
ｉ）高解像度であるが、物体の中の、より小さい対象域を画像化する二次元画像（ＳＰＩＭ）、
ｉｉ）低解像度であるが、物体の中の、より大きい対象域を画像化する二次元画像（ＳＰＩＭ）、
ｉｉｉ）高解像度でのｚ方向の一次元共焦点画像ｘ−ｔ、
ｉｖ）より低解像度でのｚ方向の一次元共焦点画像ｘ−ｔ。
【００６３】
ｚ方向への光シートの数はｘの寸法に依存せず、すなわち、異なる画像フォーマットから選択でき、たとえばｘ方向の画素数を５１２とし、その一方でｚ方向の画素数をより多く、またはより少なくすることができる。ｚ方向へのギャップのない連続データセットを取得するために、ｚ方向への供給動作は、常に確実にある程度重複するように選択しなければならない（ナイキストの定理）。
【００６４】
図９は本発明の別の実施形態を示しており、図４による実施形態と同じ構成部品には同じ参照番号が付与されている。これに加えて、照明対物レンズ４２が設置され、これはズーム光学系１３に追加して設置することができる。照明対物レンズはまた、光学ズームの一部とすることができ、たとえば図６に示される実施形態による例のとおりである。
【００６５】
連続レーザ（連続波、ＣＷ）による照明とは異なり、多光子蛍光顕微鏡にはパルスレーザも使用でき、これは、長い波長で比較的低いエネルギーの励起光子を送るため、試料への損傷を回避するのに特に適しており、これは生体試料の場合に特に重要となりうる。ＳＰＩＭ信号の検出のように、調光ミラー４３によって、ｚ方向に延びる検出光線の経路４４から多光子信号も抽出することができ、これは光電子増倍器またはアバランシェフォトダイオード４５によって検出できる。それ以外に、ＳＰＩＭ信号は、図４に関してすでに説明したように、カメラ１６によって検出することができる。
【００６６】
カメラ１６が十分な速度で作動すれば、図９に示す実施形態をさらに変形したものとして、調光ミラー４３がなくてもよく、その代わりに、カメラ１６を使って多光子信号を検出することができる。多光子照明とｚ方向、すなわち照明方向に対して垂直の方向への信号検出の場合、物体上の各照明点に関して、カメラ１６には直線が画像化されるため、物体上のｘ方向に延びる走査線を連続的にｘ方向に走査することによって、カメラ１６ではある領域が連続的に照明され、これは、データを整理して線に戻すソフトウェアによって整理する必要がある。ｚ方向に連続して走査することによって、物体上のいくつかの線を検出して、さらに処理し、物体のある領域の画像とすることができる。
【００６７】
簡単に言えば、ＳＰＩＭ信号検出構造の上記のような変形版は、多光子信号検出に使用され、これは高速カメラ、たとえばフォーマット５１２×５１２で毎秒最高１０００枚の画像を検出できるカメラを使えば可能である。
【００６８】
多光子信号検出のためのＳＰＩＭ信号検出構造の特定の利点は、信号の強度が有意に増強されることであり、そのいくつかの理由の１つは次のものである。光シートを生成するためには、一般に、低い開口数の照明対物レンズ、たとえば０．０４ＮＡの範囲の開口数の対物レンズが使用される。ここで、多光子照明から生成された信号の検出にＳＰＩＭ検出経路を使用する場合、使われる対物レンズの開口数（ＮＡ）がはるかに高い（たとえば、１．０ＮＡ）ため、有意に高い信号の強度を得ることができる。これは、信号強度が２０倍超、改善されることを意味する。
【００６９】
ＳＰＩＭ検出光線の経路（ｚ方向）が蛍光の検出に使用され、光が光電子増倍器またはＡＰＤもしくはＡＰＤアレイに送られ、あるいは上述の変形版によれば、高速カメラに直接送られる場合、ｙ方向の信号検出のための照明光学系を使用する場合より、効率がはるかに改善され、これは一般に、使用される照明システムの開口数がＳＰＩＭ構成の検出システムの開口数より低いからである。
【００７０】
多光子検出を使用することにはいくつかの利点がある。ほとんど排他的に焦点の合った蛍光色素だけが励起され、これは、励起には、いくつかの光子が多かれ少なかれ同時に到達することが必要となるからであり、この同時の到達はほとんど排他的に焦点の中で発生し、換言すれば、焦点の外の励起の可能性は非常に低い。他の利点は、ＩＲ範囲の（散乱が低い）波長を使用すると、浸透深度がより深くなることである。他の利点はピンホールが不要であることであり、これは、発生された光の全体を照明焦点に割り当てることができるからである。これによってまた、全方向からの光を集光することが可能である。これに対して、共焦点顕微鏡は、散乱および反射光を抑制する必要があり、これによって信号の強度が弱められる。信号強度を高めることにおける上記のすべての利点とは別に、照明強度は低く、したがって試料への損傷が回避され、その一方で、このソリューションはさらに、構造的な利点を提供し、これは、ＳＰＩＭ顕微鏡にすでに備わっている検出光学系を多光子信号検出に使用できる点であり、それによって、構造面でのコストを追加せずに、比較的安価なソフトウェアのコストだけで、上記の利点のすべてを得ることができる。
【００７１】
ＳＴＥＤ技術を適用することによって、多光子照明により提供される高い解像度をさらに高めることが可能であり、すなわち、検出方向への解像度を、多光子モードの約３００ｎｍから多光子プラスＳＴＥＤモードのわずか数ｎｍの解像度まで改善できる。換言すれば、ＳＰＩＭ検出光学系によって提供される信号強度の増強と多光子モードにより提供される高解像度とＳＴＥＤの適用による解像度の一層の改善とが組み合わされ、相乗効果が得られる。本発明により提供される特定の構造的利点は、３つの実質的に異なる顕微鏡のカテゴリ、すなわち共焦点顕微鏡、ＳＰＩＭ顕微鏡および多光子顕微鏡を１つの単独の構成にまとめることができる点であり、その一方で、これら３つの顕微鏡のカテゴリのすべては、ＳＴＥＤ光線の追加による選択的な変調によって解像度を高められる動作モードでも使用でき、したがって、結果として、全体で６種類の動作モードが利用できる。
【００７２】
ソフトウェアの観点から、カメラ１６によって検出されたデータを線と画素に分離して、同時に、ＳＰＩＭ画像と多光子画像を生成することもまた可能である。これによって、ＳＰＩＭモードと多光子モードとを切り替える必要がなくなり、あるいは、別の例において、ＳＰＩＭモードと多光子モードでの同時動作を切り替えの選択肢として追加することができる。
【００７３】
要約すれば、本発明による顕微鏡では、共焦点顕微鏡の部分的態様、すなわち照明光学系の部分的態様がＳＰＩＭ法に基づく画像生成に適用され、照明光学系がさらにズーム光学系へと改造される。本発明によれば、さらに、ＳＰＩＭ法によって生成される画像より一次元低い共焦点画像を生成することができ、あるいは、別の例において、共焦点画像に追加して、またＳＰＩＭ法により生成された画像の代わりに、多光子画像を生成することができる。これは、ＳＰＩＭ法により生成される画像をはるかに高い柔軟性で変更できるだけでなく、共焦点検出または多光子検出によって追加の画像情報が得られ、また、特定の用途に応じて、得られた画像をオーバーレイとしてＳＰＩＭおよび／または多光子画像と合成することもできる。ＳＴＥＤ光線を追加し、またはオフにすることによって、画像にさらに変更を加えることができ、さまざまな画像についてさらに追加のデータストリームを生成することが可能であり、これらは同時に生成されるという利点がある。これによって、顕微鏡に多種多様な有益さを持たせることができ、これには、画像変調の可能性および、それと同時に、分析可能な画像情報の数における相乗効果が伴う。
【符号の説明】
【００７４】
１  光シート
２  物体
３  対物レンズ
４  レーザ
５  照明光線
６  コリメートレンズ
７  円柱レンズ
９  カメラ
１０  照明光線の経路
１１  検出光線の経路
１２  スキャナ
１３  ズーム光学系
１４  カラーフィルタ
１５  管状レンズ
１６  カメラ
１７  物体キャリア
１８  検出器
１９  フォトダイオード
２０  開口
２１  検出光
２２  画像処理ユニット
２３  モニタ
２４  ダイクロイックミラー
２５  ズームレンズ
２６  レンズ
２７  焦点距離の範囲
２８  ＳＰＩＭ画像処理ユニット
２９  ＳＰＩＭモニタ
３０  照明点
３１  励起光線
３２  失活光線
３４  統合光線経路
３５  検出光
３６  光検出器
３７  ダイクロイックミラー
３８  開口
３９  位相板
４０  失活光線
４１  励起光線
４２  照明対物レンズ
４３  調光ミラー
４４  検出光線の経路
４５  光電子倍増器またはアバランシェフォトダイオード
４６  レーザ
４７  失活光線の経路
５０  失活点
【図１】
0006035019.tif 000002
【図２】
0006035019.tif 000003
【図３】
0006035019.tif 000004
【図４】
0006035019.tif 000005
【図５】
0006035019.tif 000006
【図６】
0006035019.tif 000007
【図７】
0006035019.tif 000008
【図８ａ】
0006035019.tif 000009
【図８ｂ】
0006035019.tif 000010
【図９】
0006035019.tif 000011